(57)【要約】【課題】  デジタル画像表示の調整方法及びシステムの提供。【解決手段】  カーソルを利用して表示エリア中で一つ或いは複数の座標をマーキングして位置基準を定め、使用者が表示比率を選択するか或いはマーキングされた座標により表示比率を生成した後、表示比率で調整後の画像を位置基準を以て表示エリアの特定位置に表示し、画像調整後に不断に移動して位置決めする必要を無くし、多くの演算コストとハードウエアコストを節約する。【選択図】        図２
2005260599.tif 000002
【特許請求の範囲】
【請求項１】
単一座標を以てデジタル画像表示を調整する方法において、
画像データに基づき画像を表示エリアに表示し、
表示エリアに対応する該画像データの座標により、該画像データの位置基準を取得し、  表示比率を取得し、
該画像データより該表示比率と該位置基準により、該表示エリアにおいて新たに表示する画像を生成することを特徴とする、
単一座標を以てデジタル画像表示を調整する方法。
【請求項２】
請求項１記載の単一座標を以てデジタル画像表示を調整する方法において、上述の座標は、表示エリアを移動し表示されるカーソルが該座標に至る時に、カーソルの所在の座標により取得され、並びに表示比率は複数の予め設定された表示比率より一つが選択されることで取得されることを特徴とする、単一座標を以てデジタル画像表示を調整する方法。
【請求項３】
請求項１記載の単一座標を以てデジタル画像表示を調整する方法において、上述の新たに表示する画像は位置基準を以て表示エリアの特定位置に位置決めされ並びに表示比率により表示エリアにおいて新たに生成されることを特徴とする、単一座標を以てデジタル画像表示を調整する方法。
【請求項４】
請求項１記載の単一座標を以てデジタル画像表示を調整する方法において、上述の画像データの位置基準を取得する時、更に同時に表示エリアの中心位置座標を取得し、新たに表示する画像は該位置基準を該中心位置座標に位置決めして表示エリアの中央に該表示比率により新たに生成することを特徴とする、単一座標を以てデジタル画像表示を調整する方法。
【請求項５】
複数座標を以てデジタル画像表示を調整する方法において、
画像データの第１座標を取得し、
画像データの第２座標を取得し、
該第１座標と第２座標に基づき、第１座標と第２座標に対応し新たに表示される画像の位置基準を取得し、
表示比率を計算し、
新たに表示される画像を該表示比率と該位置基準により表示エリアに表示することを特徴とする、複数座標を以てデジタル画像表示を調整する方法。
【請求項６】
請求項５記載の複数座標を以てデジタル画像表示を調整する方法において、第１座標と第２座標は表示エリアに表示されるカーソルが移動して該第１座標と第２座標に至る時に、カーソル所在位置に対応する座標により取得することを特徴とする、複数座標を以てデジタル画像表示を調整する方法。
【請求項７】
請求項５記載の複数座標を以てデジタル画像表示を調整する方法において、表示比率は、表示エリアの垂直幅の第１座標と第２座標間の垂直距離に対する比率により取得するか、或いは、表示エリアの水平幅の第１座標と第２座標間の水平距離に対する比率により取得することを特徴とする、複数座標を以てデジタル画像表示を調整する方法。
【請求項８】
請求項５記載の複数座標を以てデジタル画像表示を調整する方法において、第１座標と第２座標の間の中央点を前記位置基準とし、並びに該位置基準と表示エリアの中心位置座標に基づき、表示エリアの中央に前記新たに表示される画像を表示することを特徴とする、複数座標を以てデジタル画像表示を調整する方法。
【請求項９】
請求項５記載の複数座標を以てデジタル画像表示を調整する方法において、表示エリアは左上角、右上角、左下角、右下角の四つの角を具え、並びに画像データは第１座標を位置基準とし、表示比率で比率調整後に、該位置基準が表示エリアの四つの角中より選択された一つの角に位置決めされて、新たに表示される画像が表示比率により生成されることを特徴とする、複数座標を以てデジタル画像表示を調整する方法。
【請求項１０】
請求項５記載の複数座標を以てデジタル画像表示を調整する方法において、新たに表示される画像の大きさが表示エリアにマッチすることを特徴とする、複数座標を以てデジタル画像表示を調整する方法。
【請求項１１】
デジタル画像表示を調整するシステムにおいて、
画像データを保存するための画像メモリユニットと、
位置基準と表示比率を生成するのに用いられ、該位置基準が該画像データ中の特定位置とされる、インタフェースユニットと、
該画像データより該表示比率と該位置基準により表示エリアに表示する画像を生成する画像処理ユニットと、
画像を表示エリアに表示する表示ユニットと、
を具えたことを特徴とする、デジタル画像表示を調整するシステム。
【請求項１２】
請求項１１記載のデジタル画像表示を調整するシステムにおいて、位置基準、表示比率及び画像を保存する保存ユニットを具えたことを特徴とする、デジタル画像表示を調整するシステム。
【請求項１３】
請求項１１記載のデジタル画像表示を調整するシステムにおいて、インタフェースユニットが更にカーソルを具え、且つ該カーソルは該インタフェースユニットによりその位置が制御され、該カーソルの表示エリア中での表示位置はカーソル座標に対応することを特徴とする、デジタル画像表示を調整するシステム。
【請求項１４】
請求項１１記載のデジタル画像表示を調整するシステムにおいて、位置基準はカーソルが特定位置に至る時、カーソル座標に基づき取得され、並びに表示比率は予め設定された複数の表示比率よりインタフェースユニットで選択されることを特徴とする、デジタル画像表示を調整するシステム。
【請求項１５】
請求項１１記載のデジタル画像表示を調整するシステムにおいて、表示比率は表示エリア中の第１座標と第２座標により直接生成され、該第１座標と第２座標はカーソルが順に二つの特定位置に至る時に、該カーソルの座標により取得され、第１座標と第２座標位置間の中央が位置基準とされ、該位置基準が表示エリア中央に位置決めされて新たに画像が表示されることを特徴とする、デジタル画像表示を調整するシステム。
【請求項１６】
請求項１１記載のデジタル画像表示を調整するシステムにおいて、表示比率は表示エリアの垂直幅の第１座標と第２座標間の垂直距離に対する比率により取得されるか、或いは、表示エリアの水平幅の第１座標と第２座標間の水平距離に対する比率により取得されることを特徴とする、デジタル画像表示を調整するシステム。
【発明の詳細な説明】
【技術分野】
【０００１】
本発明は一種の画像表示の方法とシステムに係り、特に、ポインタ或いはカーソルにより画像の表示位置をマーキングし表示比率を調整する方法とシステムに関する。
【背景技術】
【０００２】
画像表示にあっては、画像データをある特定比率でフレーム上に表示しなければならないことが往々にしてあり、このような応用は多くのソフトウエア或いはハードウエア中にビルトインされ、例えば画像編集ソフト或いはデジタルカメラ中に画像の拡大或いは縮小の機能が設けられている。
【０００３】
従来の技術にあって、このような応用は通常画像データの表示エリア中央に位置する画像位置（例えば画素）を位置基準とし、もとの画像データをある表示比率により調整した後、位置基準を以て表示エリア中央で新たに一つの画像を生成する。表示比率が改変される時、新たな画像は必然的にもとの表示範囲を超過するか或いはそれより小さくなり、このため使用者はフレームを水平移動させ、見ようと思う画像部分を表示エリア中に表示させて表示する。これは多くの演算コストを費やし、例えば図１に示されるように、まずステップ１１０で、表示比率と位置基準を取得する。表示比率の取得方式には非常に多くの種類があり、例えば一組の内定の表示比率中より一つを選択し、内定比率で等比で表示比率をマス化、或いは使用者が直接入力する。位置基準は一般に表示エリア中央を以て左上角とし（表示エリアの第１の画素位置）とし、その表示データ中での位置により崇徳される。その後、ステップ１２０で、全部の画像データを表示比率により調整して新たな画像を生成する。続いて、ステップ１３０で、位置基準により画像を表示エリア中に表示する。最後にステップ１４０で表示エリアが必要な画像部分を表示するまで画像を不断に画像を移動させる。
【０００４】
上述の方法中、画像は全ての画像データのズーム調整後に生成し、もし画像データが非常に大きければ、以下のような欠点を有し得る。まず、一般に画像は出力前にフレームバッファに保存され、周知の技術によると、フレームバッファを非常に大きくする必要があり、且つフレームバッファ中に保存される画像の一部のみが表示エリアに表示されるだけである。このほか、画像が毎回移動される時にフレームバッファ中で新たに一部分の画像を取得して表示エリア中に表示しなければならず、多くの演算コストが必要である。さらに、画像移動前に、移動後に表示される画像を予期することはできず、このため適当な位置に至るまで不断に移動させなければならない。毎回の移動には余分の電力と時間がかかり、もしコストと電力を非常に重視するポータブル装置（例えばデジタルカメラ）等に応用するなら、ハードウエアコストと電池電力の使用上、非常に不経済となる。
【０００５】
あきらかに、上述の方法による処理において、表示比率を調整した後に更にフレームを不断に移動させる方法は非常に不経済であり、このため更に経済的な方法或いはシステムをポータブル装置に提供することが求められている。
【発明の開示】
【発明が解決しようとする課題】
【０００６】
本発明の主要な目的は、単一座標に一つの表示比率を組み合わせることでデジタル画像表示を調整する方法とシステムを提供し、使用者が任意に表示エリア中の一部の画像を選択して拡大或いは縮小後に新たに表示するのに便利とすることにある。
【０００７】
このほか、本発明のもう一つの主要な目的は、複数の座標によりデジタル画像表示を調整する方法とシステムを提供し、使用者が二つの座標を選択するか或いはある範囲を表示することで位置基準と表示比率を取得し、使用者が任意に表示エリア中の一部画像を選択して拡大或いは縮小した後に新たに表示するのに便利とすることにある。新たに表示されるフレームはもとのフレーム中より予期できるため、不断にフレームを移動させる必要がなく、大量の演算コストを節約できると共に、大量のフレームバッファのコストを節約できる。
【課題を解決するための手段】
【０００８】
請求項１の発明は、単一座標を以てデジタル画像表示を調整する方法において、
画像データに基づき画像を表示エリアに表示し、
表示エリアに対応する該画像データの座標により、該画像データの位置基準を取得し、  表示比率を取得し、
該画像データより該表示比率と該位置基準により、該表示エリアにおいて新たに表示する画像を生成することを特徴とする、
単一座標を以てデジタル画像表示を調整する方法としている。
請求項２の発明は、請求項１記載の単一座標を以てデジタル画像表示を調整する方法において、上述の座標は、表示エリアを移動し表示されるカーソルが該座標に至る時に、カーソルの所在の座標により取得され、並びに表示比率は複数の予め設定された表示比率より一つが選択されることで取得されることを特徴とする、単一座標を以てデジタル画像表示を調整する方法としている。
請求項３の発明は、請求項１記載の単一座標を以てデジタル画像表示を調整する方法において、上述の新たに表示する画像は位置基準を以て表示エリアの特定位置に位置決めされ並びに表示比率により表示エリアにおいて新たに生成されることを特徴とする、単一座標を以てデジタル画像表示を調整する方法としている。
請求項４の発明は、請求項１記載の単一座標を以てデジタル画像表示を調整する方法において、上述の画像データの位置基準を取得する時、更に同時に表示エリアの中心位置座標を取得し、新たに表示する画像は該位置基準を該中心位置座標に位置決めして表示エリアの中央に該表示比率により新たに生成することを特徴とする、単一座標を以てデジタル画像表示を調整する方法としている。
請求項５の発明は、複数座標を以てデジタル画像表示を調整する方法において、
画像データの第１座標を取得し、
画像データの第２座標を取得し、
該第１座標と第２座標に基づき、第１座標と第２座標に対応し新たに表示される画像の位置基準を取得し、
表示比率を計算し、
新たに表示される画像を該表示比率と該位置基準により表示エリアに表示することを特徴とする、複数座標を以てデジタル画像表示を調整する方法としている。
請求項６の発明は、請求項５記載の複数座標を以てデジタル画像表示を調整する方法において、第１座標と第２座標は表示エリアに表示されるカーソルが移動して該第１座標と第２座標に至る時に、カーソル所在位置に対応する座標により取得することを特徴とする、複数座標を以てデジタル画像表示を調整する方法としている。
請求項７の発明は、請求項５記載の複数座標を以てデジタル画像表示を調整する方法において、表示比率は、表示エリアの垂直幅の第１座標と第２座標間の垂直距離に対する比率により取得するか、或いは、表示エリアの水平幅の第１座標と第２座標間の水平距離に対する比率により取得することを特徴とする、複数座標を以てデジタル画像表示を調整する方法としている。
請求項８の発明は、請求項５記載の複数座標を以てデジタル画像表示を調整する方法において、第１座標と第２座標の間の中央点を前記位置基準とし、並びに該位置基準と表示エリアの中心位置座標に基づき、表示エリアの中央に前記新たに表示される画像を表示することを特徴とする、複数座標を以てデジタル画像表示を調整する方法としている。
請求項９の発明は、請求項５記載の複数座標を以てデジタル画像表示を調整する方法において、表示エリアは左上角、右上角、左下角、右下角の四つの角を具え、並びに画像データは第１座標を位置基準とし、表示比率で比率調整後に、該位置基準が表示エリアの四つの角中より選択された一つの角に位置決めされて、新たに表示される画像が表示比率により生成されることを特徴とする、複数座標を以てデジタル画像表示を調整する方法としている。
請求項１０の発明は、請求項５記載の複数座標を以てデジタル画像表示を調整する方法において、新たに表示される画像の大きさが表示エリアにマッチすることを特徴とする、複数座標を以てデジタル画像表示を調整する方法としている。
請求項１１の発明は、デジタル画像表示を調整するシステムにおいて、
画像データを保存するための画像メモリユニットと、
位置基準と表示比率を生成するのに用いられ、該位置基準が該画像データ中の特定位置とされる、インタフェースユニットと、
該画像データより該表示比率と該位置基準により表示エリアに表示する画像を生成する画像処理ユニットと、
画像を表示エリアに表示する表示ユニットと、
を具えたことを特徴とする、デジタル画像表示を調整するシステムとしている。
請求項１２の発明は、請求項１１記載のデジタル画像表示を調整するシステムにおいて、位置基準、表示比率及び画像を保存する保存ユニットを具えたことを特徴とする、デジタル画像表示を調整するシステムとしている。
請求項１３の発明は、請求項１１記載のデジタル画像表示を調整するシステムにおいて、インタフェースユニットが更にカーソルを具え、且つ該カーソルは該インタフェースユニットによりその位置が制御され、該カーソルの表示エリア中での表示位置はカーソル座標に対応することを特徴とする、デジタル画像表示を調整するシステムとしている。
請求項１４の発明は、請求項１１記載のデジタル画像表示を調整するシステムにおいて、位置基準はカーソルが特定位置に至る時、カーソル座標に基づき取得され、並びに表示比率は予め設定された複数の表示比率よりインタフェースユニットで選択されることを特徴とする、デジタル画像表示を調整するシステムとしている。
請求項１５の発明は、請求項１１記載のデジタル画像表示を調整するシステムにおいて、表示比率は表示エリア中の第１座標と第２座標により直接生成され、該第１座標と第２座標はカーソルが順に二つの特定位置に至る時に、該カーソルの座標により取得され、第１座標と第２座標位置間の中央が位置基準とされ、該位置基準が表示エリア中央に位置決めされて新たに画像が表示されることを特徴とする、デジタル画像表示を調整するシステムとしている。
請求項１６の発明は、請求項１１記載のデジタル画像表示を調整するシステムにおいて、表示比率は表示エリアの垂直幅の第１座標と第２座標間の垂直距離に対する比率により取得されるか、或いは、表示エリアの水平幅の第１座標と第２座標間の水平距離に対する比率により取得されることを特徴とする、デジタル画像表示を調整するシステムとしている。
【発明の効果】
【０００９】
本発明のデジタル画像表示の調整方法及びシステムは、カーソルを利用して表示エリア中で一つ或いは複数の座標をマーキングして位置基準を定め、使用者が表示比率を選択するか或いはマーキングされた座標により表示比率を生成した後、表示比率で調整後の画像を位置基準を以て表示エリアの特定位置に表示し、画像調整後に不断に移動して位置決めする必要を無くし、多くの演算コストとハードウエアコストを節約する。
【００１０】
本発明は位置決めと表示能力を具えたシステムに応用可能で、カーソルを表示できるか否かは本発明の必要条件ではなく、例えばタッチスクリーンを具えたシステムに応用され、上述の位置基準或いは座標はスクリーンがタッチコントロールされる時に取得され、このようなシステムにあっては、カーソルはスクリーン上に表示されうるが、スクリーン上に不表示ともされ得る。このほか、本発明はデジタルカメラ或いは携帯電話等のポータブル装置に応用可能である。
【発明を実施するための最良の形態】
【００１１】
本発明は以下の実施例で説明されるが、本発明は他の実施例において実施可能であり、且つ本発明は以下の実施例に限定されるものではない。さらに、本発明の理解を助けるため、図示される各部分は相対寸法により描かれてはおらず、それらの寸法は誇張されており、関係のない細かい部分は完全には描かれておらず、簡潔に描かれている。
【００１２】
周知の技術中、画像調整を実行する時は、まず比率を調整した後にフレームを移動させる方法が使用され、ゆえに比較的大きなフレームバッファと演算コストが必要であった。このため、本発明ではまずフレーム中の実際に表示したい位置基準をマーキングし、さらにこの位置基準を以て表示比率（予め設けられるか或いは使用者が調整する）により新しいフレームを計算し、これにより新たに表示エリア（例えばＬＣＤ或いはＯＬＥＤパネル）中に表示する。これにより、画像の調整過程中に不断にフレームを移動させる必要がなく、ゆえに大量の演算コストを節約できる。またフレームを不断に移動させる必要がないため、全部の画像データの比率を調整して移動させる必要はなく、新しいフレームに必要な部分のみの画像データの比率を調整して新しい画像を生成するだけでよく、これにより不必要なフレームバッファを節約できる。このほか、生成した新たな画像の画素を直接表示エリアに出力すれば、フレームバッファが不要となる。
【実施例１】
【００１３】
本発明の第１実施例は、単一座標を以てデジタル画像表示を調整する方法であり、図２の本実施例のフローチャートに示されるようである。まず、ステップ２１０で画像を表示エリアに表示する。この画像はデジタル式キャプチャ装置で画像情報を獲得後に、画像データ形式により表示され、且つこの画像データは異なる形式（例えば、画素、ファイル）で異なる保存媒体（例えば、ディスク、メモリカード、メモリ等）中に保存される。本発明は画像データの形式と保存方式を制限しない。このほか、表示エリアに表示される画像は既にキャプチャされた画像の一部或いは全部のデータとされ、本発明は既にキャプチャされた画像データの表示エリアに表現される範囲を制限しない。図３中のブロック２１００はステップ２１０に対応する表示図である。
【００１４】
その後、ステップ２２０に示されるように、画像データの位置基準を取得する。この位置基準は画像データの表示エリアにおいて対応する一つの座標により取得され、即ち、画像データ中のこの座標の表示エリアに表示される相対位置を以て位置基準とされる。例えば、ポインタ（例えばカーソル）をこの座標に移動させた後、位置基準を取得するか、或いは使用者が座標を入力することにより位置基準座標を取得し、この座標基準は画像データ中にあって、この座標の相対位置に対応し、即ち画像データ中にあって探し出すのはこの座標にあって表示するのに用いられるものである。この相対位置は一つの相対座標或いは一つの画素位置とされ、本発明は位置基準の取得方法と相対位置の表現方式について制限しない。このほか、ステップ２２０中で同時に表示エリアの中心位置の座標を取得してもよく、それを新たな画像表示時の参考座標点となす。図３中のブロック２２００はステップ２２０に対応する表示図である。
【００１５】
続いて、ステップ２２０でカーソル所在位置に対応する位置基準を取得した後、ステップ２３０で表示比率を取得する。この表示比率の取得方式には多種類があり、例えば予め手設定された比率により等比例で表示比率を増加するか、或いは一組の予め設定された表示比率中より一つの比率を選択して表示比率を等比増加するか、或いは使用者が直接入力する。本発明は表示比率の取得方式についても制限しない。
【００１６】
最後にステップ２４０で、画像データに対して表示比率と位置基準により新たに表示画像を生成するか、或いは中心位置の座標を参考にして画像を表示エリアに表示する。画像の表示はポインタ所在位置基準を定位点とし、定位点は表示エリア中の任意の特定位置とされ得る。例えばこの特定位置は表示エリア中の中央、表示エリアの四つの角部（左上角、右上角、左下角、右下角）の一つ或いはその他の位置とされうる。本発明はこの特定位置に制限を加えない。その後、表示比率により新たに画像を表示エリアにおいて生成する。このほか、新たに生成した画像はもとの画像を予め設定された表示比率により拡大或いは縮小したものとされるか、或いはもとの画像データに表示比率を乗じて拡大或いは縮小したものとされうる。このほか、画像の大きさは表示エリアとマッチングしうる（即ち局部画像データにより画像を生成する）ほか、表示エリアを超過（即ち全体画像データにより画像を生成）し得て、中心位置の座標を参考としてさらに画像が表示エリアに表示されうる。本発明は画像の大きさについて制限を加えない。前者はフレームバッファのコストを節約でき、或いはフレームバッファ不要で直接表示エリア中に表示される。後者は使用者が画像を移動させる時間を節約できるが、演算コスト（例えば電力）が比較的かかり大量のフレームバッファを必要とする。図３中のブロック２３００はステップ２４０の処理後の表示図に対応する。これにより本実施例は周知の技術の移動の機能を具備するだけでなく、使用者の画像の選択上、更に簡便で時間と手間を節約できるものとされる。
【実施例２】
【００１７】
本発明のもう一つの具体的実施例は複数の座標でデジタル画像表示を調整する方法である。図４は本実施例のフローチャートである。本実施例と先の実施例の差異は、本実施例ではステップ３２０とステップ３３０が図２中のステップ２２０とステップ２３０の代わりに実行されるところにある。ステップ３２０で、第１座標３１１０と第２座標３１２０（図５参照）を取得し、この第１座標と第２座標の取得は使用者による入力によるか、或いは使用者が表示エリアに表示されたカーソルを第１座標から第２座標の位置に移動させること取得され、こうして座標の範囲或いはエリアを獲得する。
【００１８】
上述の第１座標と第２座標の取得は表示エリアの範囲を画定すると見なすことができ、或いは、表示エリアにある範囲を画定することで第１座標と第２座標を獲得すると見なすこともできる。例えば表示エリア中にあって矩形を画定する方式（図５中の３２１０に示されるとおり）にあって、まずカーソルの第１座標３１１０部分を定め、続いて、カーソルを移動させると同時に、表示エリア中にあって、第１座標とカーソルの所在位置を対角の両端点とする矩形フレーム線３２１０を表示し、表示の範囲を表示するのに用いる。或いは、直接カーソルを制御して第１座標３１１０と第２座標３１２０を画定後にこの二つの座標を対角の両端点とする矩形フレーム線３２１０を生成し、表示の範囲を表示するのに用いる。同様に、画定した範囲は矩形に限定されず、円形（第１座標と第２座標を直径として生成）、楕円形（第１座標と第２座標を楕円形の長軸或いは短軸とし表示エリアの長さ幅比により生成）とされうる。
【００１９】
続いて、ステップ３３０中で第１座標３１１０と第２座標３１２０で区画された範囲の大きさにより表示比率と位置基準を計算し、そのうち位置基準は第１座標３１１０と第２座標３１２０の一方或いは両者が区画する範囲の中心点３１３０（図５中に示されるとおり）とされることで取得される。表示比率は表示エリアの垂直幅の第１座標と第２座標間の垂直距離に対する比率により取得可能であるほか、表示エリアの水平幅の第１座標と第２座標間の水平距離に対する比率により取得されうる。
【００２０】
最後にステップ２４０で、画像データより表示比率と位置基準により直接表示画像を生成し、その詳しい点は先の実施例と同じであるため説明を省略する。
【実施例３】
【００２１】
上述の方法に基づき、本発明の更に一つの具体的実施例は、デジタル画像表示調整のシステムを提供するものである。図６に示されるように、該システムは、画像メモリユニット３１、インタフェースユニット３２、画像処理ユニット３３、表示ユニット３４、及び保存ユニット３５を具えている。画像メモリユニット３１は画像データ３１２を記録し、この画像データ３１２は上述のステップ２１０に記載されるように、画像処理ユニット３３がこの画像データ３１２に基づき画像を生成し、並びに生成した画像を表示ユニット３４を送り表示させる。そのうち発生する画像は保存ユニット３５に保存可能で、これにより保存ユニット３５はバッファを具えて画像を保存し、表示ユニット３４による表示に供する。
【００２２】
このほか、画像処理ユニット３３は画像中にカーソルを加え、このカーソルの所在位置はある座標位置に対応し、この座標のデータは保存ユニット３５中に保存可能であり、また、インタフェースユニット３２によりこの座標が改変されることによりカーソル位置が制御される。そのうちこの座標はカーソルが表示エリア３４２中で表示される位置に定められるか、画像データ３１２中の表示エリア３４２中に表示されるカーソルの所在位置に定められる（画像データ３１２中のある画素位置とされ、この画素位置はカーソル所在位置に表示される）。
【００２３】
このほか、インタフェーススニット３２は上述のステップ２２０とステップ２３０により位置基準３５４と表示比率３５６を生成するのに用いられ、この位置基準３５４は画像データ３１２中の特定位置であり、その取得方式は、使用者が座標を入力することで取得されるか或いはカーソルが特定位置に移動した時にカーソル座標３５２により取得されるか、或いはその他の座標を利用して画像データ３１２中の特定位置を取得する方式とされ、そのうち位置基準３５４と表示比率３５６は保存ユニット３５中に保存可能で、これにより保存ユニット３５は複数のレジスタを具えて上述のカーソル座標３５２、位置基準３５４、及び表示比率３５６を保存するものとされる。
【００２４】
さらに、インタフェースユニット３２は上述のステップ３２０とステップ３３０により第１座標３１１０と第２座標３１２０を取得し、並びにこの二つの座標により位置基準３５４と表示比率３５６を取得する。これにより、インタフェースユニット３２中には選択項提供機能が設けられ、使用者が表示比率３５６の取得方式を、使用者の入力、或いは一組の表示比率３５６中より一つを選択するか、或いは第１座標と第２座標より取得するかを選択できるものとされる。これにより、画像処理ユニット３３は上述のステップ２４０で、画像データ３１２より表示比率３５６と位置基準３５４により新たに表示エリア３４２に表示する画像を生成する。本実施例の細かい点は前述した実施例と同じであるため説明は省略する。
【図面の簡単な説明】
【００２５】
【図１】周知の技術のフローチャートである。
【図２】本発明の第１実施例のフローチャートである。
【図３】本発明の第１実施例の処理の具体的な表示図である。
【図４】本発明の第２実施例のフローチャートである。
【図５】本発明の第２実施例の処理の具体的な表示図である。
【図６】本発明の第３実施例の機能ブロック表示図である。
【符号の説明】
【００２６】
３４  表示装置
３４２  表示エリア
３２  インタフェースユニット
３５２  カーソル座標
３５４  位置基準
３５６  表示比率
３５  保存ユニット
３３  画像処理ユニット
３１２  画像データ
３１  画像メモリユニット
【図１】
2005260599.tif 000003
【図２】
2005260599.tif 000004
【図３】
2005260599.tif 000005
【図４】
2005260599.tif 000006
【図５】
2005260599.tif 000007
【図６】
2005260599.tif 000008